(57)【要約】
【課題】  折りたたんだ際の体積を縮小し、且つ、従来のはじきの構造とは異なる固定部を備えた設計で、下ロクロを安定して固定することができ、同時に、傘の外力に対する強度を向上すると共に、中棒を保護し、中棒の細パイプに発生しがちな破損や変形を回避することのできる傘の提供。
【解決手段】  所望の大きさ、形状に裁断した布地或は合成樹脂シートを笠状に貼り合わせ、或は、縫い合わせて成る生地、中棒、上ロクロ、下ロクロ、親骨、受骨、固定部から構成され、前記上ロクロの周縁に縫い合わせを支持する複数の親骨を軸着し、前記下ロクロ周縁に前記親骨を支持する複数の受骨を軸着し、該下ロクロの一側面にボタン装置を設置し、該ボタン装置上にボタン突起部を設け、前記中棒は多節構造であって、その上端は上ロクロの中心に固定されると共に、前記上ロクロを下方向に延伸し前記固定部を設け、該固定部上に、前記ボタン突起部と相互に嵌合される固定孔を開設し、前記下ロクロを該固定部上に被せるように上下方向に滑動可能に設置する。
【選択図】    図８A
0003101458.tif 000002
【実用新案登録請求の範囲】
【請求項１】
所望の大きさ、形状に裁断した布地或は合成樹脂シートを笠状に貼り合わせ、或は、縫い合わせて成る生地、中棒、上ロクロ、下ロクロ、親骨、受骨、固定部から成る傘であって、前記上ロクロの周縁に縫い合わせを支持する複数の親骨を軸着し、前記下ロクロ周縁に前記親骨を支持する複数の受骨を軸着し、該下ロクロの一側面にボタン装置を設置し、該ボタン装置上にボタン突起部を設け、前記中棒は多節構造であって、その上端は上ロクロの中心に固定されると共に、前記上ロクロを下方向に延伸し固定部を設け、該固定部上の適切な位置に、前記ボタン突起部と相互に嵌合される固定孔を開設し、前記下ロクロを該固定部上に被せるように上下方向に滑動可能に設置したことを特徴とする傘。
【請求項２】
前記固定部上に軸方向に軌道部を形成し、且つ、前記下ロクロの内側に該軌道部と嵌合されるスライド溝を設けた請求項１に記載の傘。
【請求項３】
前記固定部と上ロクロが分離可能な形態である請求項１に記載の傘。
【請求項４】
前記固定部が複数の片状体から成る請求項１に記載の傘。
【請求項５】
前記固定部の一端に環状突起部を形成した請求項１に記載の傘。
【請求項６】
前記固定孔が円形、矩形、三角形、楕円形のうちの一つの固定機能を備えた形状である請求項１に記載の傘。
【考案の詳細な説明】
【技術分野】
【０００１】
本考案は、傘の構造に関し、特に、傘の体積を小さくしたためにはじきが下ロクロを安定して支持できない問題を解決した、傘の構造に関する。
【背景技術】
【０００２】
従来の傘１は、図１及び図１Aに示すように、所望の大きさ、形状に裁断した布地或は合成樹脂シートを笠状に貼り合わせ、或は、縫い合わせて成る生地１１、中棒１２、上ロクロ１３、下ロクロ１４、親骨１５及び受骨１６から構成され、そのうち、上ロクロ１３周縁部に複数の前記親骨１５を軸設し、傘面１１を支持し、前記下ロクロ１４周縁部に前記受骨１６を軸設し、前記親骨１５を支持し、前記中棒１２は二節または三節の形式で、その上端に前記上ロクロ１３を固定し、該上ロクロ１３に固定された細パイプ１２２に矩形孔１２１を開設し、該細パイプ１２２内に設置されたはじき１７が該矩形孔１２１を穿通して突出し、前記下ロクロ１４を固定することができ、該下ロクロ１４に前記中棒１２が穿通され、該下ロクロ１４を該中棒１２上で上下に滑動させることができ、傘１を開くとき、前記下ロクロ１４を上方向へ前記はじき１７の上まで押し上げると、該はじき１７が該下ロクロ１４の底部を支持し、さらに該下ロクロ１４に連結された受骨１６が親骨１５を支持し、該親骨１５が前記所望の大きさ、形状に裁断した布地或は合成樹脂シートを笠状に貼り合わせ、或は縫い合わせて成る生地１１全体を支持して押し広げ、前記はじき１７を押すことにより、傘１を閉じることができる。
【０００３】
前述の一般的な傘１は、傘の開閉機能は備えているものの、前記中棒１２が二節または三節の構造であるため、折りたたんだ際の体積が大きく、収納して携帯する際、大きめの手提げ鞄やリュックサック等でなければ収納することができず、小型のハンドバックには収納することができない。また、傘の体積を縮小する場合、前記中棒１２を多節の構造とする必要があるが、このとき、前記中棒１２の外側の太パイプの管径と内側の細パイプの管径の差が拡大し、傘を開くとき、管径が最小の細パイプと管径が外管より大きい下ロクロ１４との間に大きな隙間ができ、前記中棒１２と下ロクロ間に任意の偏りが生まれ、該中棒１２上のはじき１７が確実に該下ロクロ１４を支持することができなくなり、該下ロクロ１４が下方向へ滑脱しやすくなり、傘を安定した状態で開いて使用することができなくなってしまう。
【０００４】
図２及び図２Aに別の一般的な傘２を示す。傘２は、中棒２２を四節または五節の形式とし、折り畳んだ際の体積を縮小したものである。そのうち、受骨２５と下ロクロ２３の接合箇所に一本または二本の突起棒２７を延伸して設置し、傘２を開くと、該突起棒２７が下ロクロ２３を経由し中棒２２を突っ張るため、該中棒２２は偏向して動くことはなく、中棒２２上のはじき２６と下ロクロ２３底部が相互に比較的大きな支持面を得、該下ロクロ２３に連結されている受骨２５が親骨２４を支持し、該親骨２４が所望の大きさ、形状に裁断した布地或は合成樹脂シートを笠状に貼り合わせ、或は縫い合わせて成る生地２１全体を支持して押し広げる。前記はじき２６を押すと、傘を閉じることができる。
【０００５】
前述のように、従来の傘２は、傘１の体積を縮小できないという問題を解決しているが、傘２の突起棒２７の設計が、傘２を開いたとき、中棒２２が突起棒２７により支持されるため、傘を開く際の下ロクロ２３の動きが円滑でなくなり、使用者にとって不便となってしまう。
【０００６】
図３及び図３Aに別の従来の傘３を示す。傘３は、中棒３１を多節の形式とし、上から下へパイプの太さが太いものから細いものへと排列され、該中棒３１の上ロクロ３２に固定されている太パイプ３１２に、下ロクロ３３に設けたはじき３４に対応する矩形孔３１１を設け、前記はじき３４の一端に鉤部３４１を形成し、別の一端に押圧面３４２を設け、該押圧面３４２の下方にバネ３４３を設置する。傘３を開くとき、前記下ロクロ３３を上方向へ押し上げると、該下ロクロ３３に設けたはじき３４の鉤部３４1が前記太パイプ３１２上に設けた矩形孔３１１に進入して下ロクロ３３を固定し、傘３を閉じるときは、前記はじき３４の押圧面３４２を押すと、バネ３４３が作用し、前記鉤部３４１が矩形孔３１１から離れ、傘を閉じることができる。
【０００７】
前述のように、従来の傘３のはじき３４の設計は、傘の開閉機能は備えているものの、傘の体積を小さくしたために中棒３１を構成するパイプの太さの差が大きくなり、最下段の細いパイプはさらに細くなってしまい、強度に欠け折れやすく、また、何の保護もされていない。
【考案の開示】
【考案が解決しようとする課題】
【０００８】
本考案の目的は、折りたたんだ際の体積を縮小し、且つ、従来のはじきの構造とは異なる固定部を備えた設計で、下ロクロを安定して固定することができ、同時に、傘の外力に対する強度を向上し、中棒を保護し、中棒の細パイプに発生しがちな破損や変形を回避することのできる傘を提供することにある。
【課題を解決するための手段】
【０００９】
本考案の傘は、主に所望の大きさ、形状に裁断した布地或は合成樹脂シートを笠状に貼り合わせ、或は縫い合わせて成る生地、中棒、上ロクロ、下ロクロ、親骨、受骨、固定部から構成され、前記上ロクロの周縁に所望の大きさ、形状に裁断した布地或は合成樹脂シートを笠状に貼り合わせ、或は縫い合わせて成る生地を支持する複数の親骨を軸着し、前記下ロクロ周縁に前記親骨を支持する複数の受骨を軸着し、該下ロクロの一側面にボタン装置を設置し、該ボタン装置上にボタン突起部を設け、前記中棒は多節構造であって、その上端は上ロクロの中心に固定されると共に、前記上ロクロを下方向に延伸し前記固定部を設け、該固定部上に、前記ボタン突起部と相互に嵌合される固定孔を開設し、前記下ロクロを該固定部上に被せるように上下方向に滑動可能に設置する。傘を開くと、下ロクロのボタン突起部が確実に前記固定部の固定孔に進入し、円滑に傘を開くことができ、また傘を閉じると、前記中棒が前記固定部内に収納され、中棒の細パイプを破損や変形から保護することができる構造である。        
【考案の効果】
【００１０】
本考案の傘によれば、以下の利点が得られる。
１．本考案の固定部の設計によれば、傘の体積を小さくしたために、はじきが確実に下ロクロを支持できなくなるという問題を解決することができる。
２．前記固定部の設計により、下ロクロを固定する固定点を該固定部上としたことで、傘の外力に対する強度を増すことができ、且つ、該固定部が中棒を保護し、中棒の細パイプの破損や変形を回避することができる。
３．下ロクロ内部に形成したスライド溝と固定部に形成した軌道部の設計により、傘を開くとき、下ロクロのボタン突起部をより円滑に上ロクロに接続する固定部上の固定孔に導入することができ、不当な導入に起因する下ロクロと上ロクロに接続する固定部の破損や、使用不能といった問題を回避することができる。
【考案を実施するための最良の形態】
【００１１】
以下、本考案の傘について、最良の実施例を図面に基づき詳細に説明する。
【実施例１】
【００１２】
図８、図８Aに示すように、本考案の傘４は、所望の大きさ、形状に裁断した布地或は合成樹脂シートを笠状に貼り合わせ、或は縫い合わせて成る生地４１、中棒４２、上ロクロ４３、下ロクロ４４、親骨４５及び受骨４６から構成され、前記上ロクロ４３の周縁部に前記所望の大きさ、形状に裁断した布地或は合成樹脂シートを笠状に貼り合わせ、或は縫い合わせて成る生地４１を支持する複数の親骨４５を軸着し、前記下ロクロ４４周縁部に前記親骨４５を支持する受骨４６を軸着し、且つ該下ロクロ４４の一側面にボタン装置５を設置し、該ボタン装置５上にボタン突起部５１を設け、前記中棒４２は多節の形式とし、且つ上端部を上ロクロ４３の中心部に固定する。そのうち、前記上ロクロ４３は、下方に延伸した固定部４３１を備え、該固定部４３１の下端部に環状突起部４３５を形成し、さらに、該固定部４３１上の適切な位置に前記ボタン突起部５１と係合される固定孔４３２を開設し、前記下ロクロ４４を該固定部４３１上に被せるように設置し、該下ロクロ４４は該固定部４３１上で上下に滑動可能となる。傘を開くときは、前記ボタン装置５のボタン突起部５１が前記固定部４３１上に設けられた固定孔４３２内に確実に嵌合され、円滑に傘を開くことができ、また、傘を閉じると、前記中棒４２が前記固定部４３１内に収納されるため、該中棒４２が固定部４３１により保護され、中棒４２の破損や変形を回避することができる。このように、傘を折りたたんだ際の体積を小さくしたことにより、傘を安定して開き使用することができなくなるという従来の問題を解決する。
【００１３】
前述の構造により、図４、図４A、図５、図５Aに示すように、本考案の傘４を開くときは、まず、前記下ロクロ４４を押し上げると、該下ロクロ４４に設けられたボタン装置５のボタン突起部５１が、前記固定部４３１に開設された固定孔４３２に嵌置され、該下ロクロ４４に軸着されている受骨４６が親骨４５を支持して押し広げ、該親骨４５がさらに所望の大きさ、形状に裁断した布地或は合成樹脂シートを笠状に貼り合わせ、或は縫い合わせて成る生地４１全体を押し広げ、傘を開く動作が完了する。
【００１４】
傘４を閉じるときは、図６、図６A、図７、図７Aに示すように、使用者が前記ボタン装置５を押圧すると、該ボタン装置５のボタン突起部５１が前記固定部４３１上の固定孔４３２を離脱し、下ロクロ４４を該固定部４３１上で下方向へ滑動させ、該固定部４３１下端の環状突起部４３５まで引き下げる。このとき、使用者は前記ボタン装置５の押圧をやめ、さらに中棒４２を固定部４３１内に収納して、傘を閉じ収納する動作が完了する。
【実施例２】
【００１５】
図９Aに上ロクロの固定部の別の実施例を示す。この実施例において、上ロクロ４３を下方向へ延伸して形成する固定部４３１Aは、片状の形態の組み合わせとし、さらに、該固定部４３１A上の適切な位置に、ボタン装置５のボタン突起部５１と係合する固定孔４３２を開設する。
【実施例３】
【００１６】
図９Bに上ロクロの固定部のさらに別の実施例を示す。この実施例においては、上ロクロ４３の下方にピン４３７を用いて固定部４３１Bを設置し、該固定部４３１Bの上部に、該ピン４３７を穿通するためのピン孔４３６を開設し、さらに、該該固定部４３１B上の適切な位置に、ボタン装置５のボタン突起部５１と係合する固定孔４３２を開設する。
【実施例４】
【００１７】
図１０、図１０A及び図１０Bに、上ロクロの固定部４３１の別の形態の実施例を示す。この実施例においては、固定部４３１上に軸方向に軌道部４３４を形成し、且つ、下ロクロ４４の内側に該軌道部４３４と嵌合されるスライド溝４４３を形成する。下ロクロ４４は、該スライド溝４４３により円滑に固定部４３１に導入され、ボタン装置５のボタン突起部５１をより確実に該固定部４３１の固定孔４３２に導入し、嵌合させることができる。
【実施例５】
【００１８】
図１１及び図１１Aに本考案のボタン装置の別の実施例を示す。下ロクロ４４の一側面の適切位置にボタン装置５Aを設置し、該ボタン装置５Aは鉤突起５２を備え、前記固定部４３１上の適切な位置に該鉤突起５２と相互に嵌合される固定孔４３２Aを開設する。
【図面の簡単な説明】
【００１９】
【図１】従来の傘を開いた状態を示す立体斜視図である。
【図１Ａ】図１の傘の部分拡大断面図である。
【図２】図１とは別の従来の傘を開いた状態を示す側面図である
【図２Ａ】図２の傘の部分拡大断面図である。
【図３】図１、図２とは別の従来の傘の開いた状態を示す側面図である。
【図３Ａ】図３の部分拡大断面図である。
【図４】本考案の傘を開くときの中途段階の状態を示す側面図である。
【図４Ａ】図４の部分拡大断面図である。
【図５】本考案の傘を完全に開いた状態を示す側面図である。
【図５Ａ】図５の部分拡大断面図である。
【図６】本考案の傘を閉じるときの動作を示す側面図である。
【図６Ａ】図６の部分拡大断面図である。
【図７】本考案の傘を閉じる際の中途段階の状態を示す側面図である。
【図７Ａ】図７の部分拡大断面図である。
【図８】本考案の傘を開いた状態を示す立体斜視図である。
【図８Ａ】本考案のボタン装置の側面拡大断面図である。
【図９】本考案の実施例１の上ロクロと固定部を示す立体外観図である。
【図９Ａ】本考案の実施例２の上ロクロと固定部を示す立体外観図である。
【図９Ｂ】本考案の実施例３の上ロクロと固定部を示す立体分解図である。
【図１０】本考案の実施例４の固定部と下ロクロを備えた傘を開いた状態を示す立体斜視図である。
【図１０Ａ】図１０の部分拡大立体図である。
【図１０Ｂ】図１０の上ロクロと固定部を示す立体外観図である。
【図１１】本考案の実施例５のボタン装置を備えた傘を開いた状態を示す立体斜視図である。
【図１１Ａ】図１１のボタン装置と固定部を示す側面拡大断面図である。
【符号の説明】
【００２０】
１      傘
１１    所望の大きさ、形状に裁断した布地或は合成樹脂シートを笠状に貼り合わせ、或は縫い合わせて成る生地
１２    中棒
１２１  矩形孔
１２２  細パイプ
１３  上ロクロ  
１４    下ロクロ
１５    親骨
１６    受骨
１７    はじき
２      傘
２１    所望の大きさ、形状に裁断した布地或は合成樹脂シートを笠状に貼り合わせ、或は縫い合わせて成る生地
２２    中棒
２３    下ロクロ
２４    親骨
２５    受骨
２６    はじき
２７    突起棒
２８    矩形孔
３      傘
３１    中棒
３１１  矩形孔
３１２  太パイプ
３２    上ロクロ
３３    下ロクロ
３４    はじき  
３４１  鉤部
３４２  押圧面
３４３  バネ
４      傘
４１    所望の大きさ、形状に裁断した布地或は合成樹脂シートを笠状に貼り合わせ、或は縫い合わせて成る生地
４２    中棒
４３    上ロクロ
４３B  上ロクロ
４３１、４３１A、４３１B    固定部
４３２、４３２A  固定孔
４３４  軌道部
４３５  環状突起部
４３６  ピン孔
４３７  ピン
４４    下ロクロ
４４３  スライド溝
４５    親骨    
４６    受骨
５、５A    ボタン装置
５１  ボタン突起部
５２  鉤突起
【図１】
0003101458.tif 000003
【図１Ａ】
0003101458.tif 000004
【図２】
0003101458.tif 000005
【図２Ａ】
0003101458.tif 000006
【図３】
0003101458.tif 000007
【図３Ａ】
0003101458.tif 000008
【図４】
0003101458.tif 000009
【図４Ａ】
0003101458.tif 000010
【図５】
0003101458.tif 000011
【図５Ａ】
0003101458.tif 000012
【図６】
0003101458.tif 000013
【図６Ａ】
0003101458.tif 000014
【図７】
0003101458.tif 000015
【図７Ａ】
0003101458.tif 000016
【図８】
0003101458.tif 000017
【図８Ａ】
0003101458.tif 000018
【図９】
0003101458.tif 000019
【図９Ａ】
0003101458.tif 000020
【図９Ｂ】
0003101458.tif 000021
【図１０】
0003101458.tif 000022
【図１０Ａ】
0003101458.tif 000023
【図１０Ｂ】
0003101458.tif 000024
【図１１】
0003101458.tif 000025
【図１１Ａ】
0003101458.tif 000026